(57)【要約】【課題】簡単な機構で開口部を閉塞可能な携帯端末装置を提供する。【解決手段】本発明の携帯電話機１は、開口部２４が形成された筐体２と、端子３５が露出した状態で開口部２４の内部に配置されるＳＤソケット３６と、開口部２４を閉塞するカバー部材２５と、筐体２の外面に対して収納された収納状態と、開放された開放状態との間で移動可能に筐体２に取り付けられるアンテナ２２と、筐体２に配設されて、アンテナ２２を収納状態で保持する保持部３２と、を備える。アンテナ２２が収納状態で保持部３２にて保持されているときに、カバー部材２５はアンテナ２２によって前記筐内部側に押さえられる。【選択図】図５
2009010713.tif 000002
【特許請求の範囲】
【請求項１】
開口部が形成された筐体と、
接続部が前記開口部から露出した状態で前記筐体の内部に配置される接続部材と、
前記開口部を閉塞するカバー部材と、
前記筐体の外面に対して収納された収納状態と、開放された開放状態との間で移動可能に前記筐体に取り付けられるアンテナ部材と、
前記筐体に配設されて、前記アンテナ部材を前記収納状態で保持する保持部材と、を備え、
前記カバー部材は、前記アンテナ部材が前記収納状態で前記保持部材にて保持されているときに、前記アンテナ部材にて前記筐体内部側に支持されていることを特徴とする携帯端末装置。
【請求項２】
前記筐体には、前記アンテナ部材を収納可能な収納凹部が形成され、
前記開口部は、前記収納凹部に形成されていることを特徴とする請求項１に記載の携帯端末装置。
【請求項３】
前記カバー部材は、前記収納凹部の一方の側部に配設されることを特徴とする請求項２に記載の携帯端末装置。
【請求項４】
前記カバー部材は、前記収納凹部の一方の側部と前記筐体の平面部に亘って配設されていることを特徴とする請求項３に記載の携帯端末装置。
【請求項５】
前記カバー部材は、前記収納凹部から離れる方向へ変位可能に前記筐体に取り付けられていることを特徴とする請求項４に記載の携帯端末装置。
【請求項６】
前記保持部材は、前記カバー部材に対応した位置に配設されることを特徴とする請求項１〜５のいずれか１項に記載の携帯端末装置。
【請求項７】
前記筐体は、前記収納凹部の一部に前記アンテナ部材の取り出し部が形成され、
前記カバー部材は、前記取り出し部に対応した位置に配設されることを特徴とする請求項２〜５のいずれか１項に記載の携帯端末装置。
【請求項８】
前記接続部材は、カードコネクタであることを特徴とする請求項１〜７のいずれか１項に記載の携帯端末装置。
【発明の詳細な説明】
【技術分野】
【０００１】
本発明は、携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の携帯端末装置に関する。
【背景技術】
【０００２】
従来、携帯端末装置には、ＳＤカード挿入口やイヤホンジャックといった外部インターフェースとの接続用の開口部が筐体に設けられている。このような開口部を備える携帯端末装置において、通信用アンテナを収納状態と開放状態との間で回動可能とし、アンテナを収納状態にしたときに、そのアンテナにより開口部を覆うようにしたものがある（例えば、特許文献１参照）。また、アンテナを用いず、脱着可能なカバー部材で開口部を覆うものもある。
【特許文献１】特開２００３−１００３８１号公報
【発明の開示】
【発明が解決しようとする課題】
【０００３】
しかし、アンテナで開口部を覆う場合、アンテナが開放状態にある際にコネクタ部が露出して、ゴミや埃等が開口部より筐体内部に侵入するという問題がある。また、カバー部材で開口部を覆う場合、携帯端末装置をポケットやバッグの中に入れて持ち運んでいる際に、カバー部材が外れないように複雑なロック構造（取付構造）を設けなければならない。
【０００４】
本発明は、開口部にカバー部材を取り付け、そのカバー部材をアンテナ部材で支持することが可能な携帯端末装置を提供することを目的とする。
【課題を解決するための手段】
【０００５】
本発明の携帯端末装置は、開口部が形成された筐体と、接続部が前記開口部から露出した状態で前記筐体の内部に配置される接続部材と、前記開口部を閉塞するカバー部材と、前記筐体の外面に対して収納された収納状態と、開放された開放状態との間で移動可能に前記筐体に取り付けられるアンテナ部材と、前記筐体に配設されて、前記アンテナ部材を前記収納状態で保持する保持部材と、を備え、前記カバー部材が、前記アンテナ部材が前記収納状態で前記保持部材にて保持されているときに、前記アンテナ部材にて前記筐体内部側に支持されることにより上記課題を解決する。
【０００６】
前記筐体には、前記アンテナ部材を収納可能な収納凹部が形成され、前記開口部は、前記収納凹部に形成されていてもよい。
【０００７】
前記カバー部材は、前記収納凹部の一方の側部に配設されていてもよい。また、前記カバー部材は、前記収納凹部の一方の側部と前記筐体の平面部に亘って配設されていてもよい。さらに前記カバー部材は、前記収納凹部から離れる方向へ変位可能に前記筐体に取り付けられていてもよい。
【０００８】
前記保持部材は、前記カバー部材に対応した位置に配設されていてもよい。
【０００９】
前記筐体は、前記収納凹部の一部に前記アンテナ部材の取り出し部が形成され、前記カバー部材は、前記取り出し部に対応した位置に配設されていてもよい。
【００１０】
前記接続部材は、カードコネクタであってもよい。
【発明の効果】
【００１１】
本発明によれば、開口部にカバー部材を取り付け、そのカバー部材をアンテナ部材で支持することにより、簡単な機構で開口部を閉塞することが可能となる。
【発明を実施するための最良の形態】
【００１２】
（第１実施形態）
以下、本発明の第１実施形態について説明する。なお、以下、携帯端末装置として携帯電話機について説明するが、本発明の携帯端末装置はこれに限定されるものではなく、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１３】
まず、携帯電話機１の基本構造を説明する。図１は折り畳み式携帯電話機１を開いた状態の正面図、図２は、その背面図である。携帯電話機１は、操作部側筐体２と表示部側筐体３とを備える。操作部側筐体２と表示部側筐体３とは２軸ヒンジ機構を備える連結部４を介して連結され、携帯電話機１は開いた状態と閉じた状態と間で変形可能である。ここで、閉じた状態とは、両筐体が互いに重なるように配置された状態であり、開いた状態とは、両筐体が互いに重ならないように配置された状態をいう。
【００１４】
操作部側筐体２は、前面２ａと背面２ｂと側面２ｃとで構成されている。図１に示すように操作部側筐体２の前面２ａには、各種操作を行う操作キー群６と、音声が入力される音声入力部７とが設けられている。
【００１５】
図２に示すように操作部側筐体２の背面２ｂには、被写体を撮影するカメラ部を構成するレンズ９と、被写体に光を照射するライト部１０とが配置されている。このカメラ部を構成するレンズ９とライト部１０とは、操作部側筐体２の連結部４側に配置されている。また、操作部側筐体２の背面２ｂには、バッテリ収納用の開口を塞ぐバッテリリッド１１が配置されている。
【００１６】
表示部側筐体３は、前面３ａと背面３ｂと側面３ｃとで構成されている。図１に示すように表示部側筐体３の前面３ａには、各種情報を表示するためのディスプレイ１３が配置されている。ディスプレイ１３には、各種文字情報のほか、ＴＶ画像や写真画像等の画像情報が表示される。表示部側筐体３の長手方向における連結部４とは反対の端部である開閉端側には音声出力部１４が配置されている。
【００１７】
図２に示すように連結部４の裏面には、各種操作キー群１６が携帯電話機１の幅方向（短手方向）において一列に並んで配置されている。表示部側筐体３の背面３ｂには、各種情報を表示するためのサブディスプレィ１８が配置されている。サブディスプレィ１８には、主に文字情報が表示される。
【００１８】
図３及び図４は閉じた状態の携帯電話機１を示した図であり、それぞれ（Ａ）は側面図、（Ｂ）は背面側からみた斜視図である。図３はアンテナ２２を収納した状態を示した図、図４はアンテナ２２の使用時におけるアンテナ開放状態を示した図である。
【００１９】
図示するように携帯電話機１は、操作部側筐体２の一方の側面２ｃに、一対のサイドキー２０と、撮像時に使用される操作キー２１と、電波の受信角度を調整可能な放送波受信用のアンテナ２２と、ＳＤカード等の外部メモリの接続部材であって、操作部側筐体２の内部に配設されるカードコネクタへの外部メモリ挿入のための開口部２４が設けられている。なお、図３及び図４において開口部２４はカバー部材２５によって閉じられている。
【００２０】
サイドキー２０は、操作部側筐体２と表示部側筐体３との開閉状態や表裏状態等の変形状態や、起動されているアプリケーションの種類に応じて所定の機能が割り当てられているキーである。操作キー２１は、携帯電話機１をカメラとして使用する際のレリーズボタンとして機能するキーである。アンテナ２２は、地上デジタル用の通信用アンテナであり、後述するアンテナ収納部２７内面に一端が固定され、その固定部２２ａを軸にして回動可能になっている。
【００２１】
図４に示すように収納凹部であるアンテナ収納部２７は、操作部側筐体２の側面２ｃにおいて操作部側筐体２の長手方向に延びる凹部である。アンテナ収納部２７のアンテナ先端が収納される側における背面２ｂ側には、切り欠き部３１が設けられている。図３に示すようにアンテナ２２がアンテナ収納部２７に収納されると、切り欠き部３１よってアンテナ２２の先端はその外周における略９０度の部分（側面側及び背面側）が外部に露出した状態となる。使用者は、この露出された先端部分を指等で押してアンテナ２２をアンテナ収納部２７から取り出して、固定部２２ａ側を軸にして任意の位置まで回転させて開放状態とすることができるようになっている。
【００２２】
図５（Ａ）は図３におけるＡ−Ａ線に沿った位置での断面図である。また、図５（Ｂ）は図４におけるＢ−Ｂ線に沿った位置での断面図である。アンテナ収納部２７のアンテナ固定部２２ａ近傍における、操作部側筐体２の背面２ｂと、アンテナ収納部２７が設けられた側面２ｃとの間の角部、すなわちアンテナ収納部２７の湾曲面の一方（一方の側部であり、図５（Ａ）における上部）には、開口部２４が設けられている。開口部２４の内部には、ＳＤカード３３の端子３３ａと接続する端子３５が露出した状態で内部に配置されたＳＤソケット（ＳＤカードコネクタ）３６が配置されている。端子３５は接続部であり、ＳＤソケット３６は接続部材である。開口部２４はＳＤカードが挿入可能な長方形状を有し、開口部２４の背面２ｂ側には、操作部側筐体２を構成する板材において厚さ方向に段を設けて形成された背面側段部３８が設けられている。また、開口部２４のアンテナ収納部２７側（側面２ｃ側）には、同様に操作部側筐体２を構成する板材において厚さ方向に段を設けて形成された収納部側段部３９が設けられている。
【００２３】
開口部２４には、上述のようにカバー部材２５が取り付けられている。カバー部材２５は樹脂などの弾性材料で製造されている。カバー部材２５は、平面部２５ａと、湾曲部２５ｂと、その間に設けられた突出部２５ｃとを備える。平面部２５ａは、カバー部材２５が開口部２４を覆ったときに、表側が操作部側筐体２の背面２ｂと略同一面上に位置し、裏側の一部が背面側段部３８に載置される。湾曲部２５ｂは、カバー部材２５が開口部２４を覆ったときに、表側がアンテナ収納部２７の内面から連続する湾曲面と略同一面上に位置し、裏側の一部が収納部側段部３９に載置される。突出部２５ｃは、湾曲部２５ｂと平面部２５ａとの間にあって収納状態にあるアンテナ２２を支える。
【００２４】
カバー部材２５における平面部２５ａの端面２５ｄには、その端面２５ｄから延びる帯状の係合部材（図示せず）が設けられている。その係合部材を背面２ｂの端面２ｄから引き出すことによりカバー部材２５を開口部２４から離れる方向に移動させて開口部２４を開口することができ、開口部２４を介してＳＤカード３３のＳＤソケット３６に対する出し入れが可能となる。また、係合部材を背面２ｂの端面２ｄに押し込むことによりカバー部材２５を開口部２４に取り付けて開口部２４を閉塞することができる。なお、引き出した状態でもカバー部材２５は操作部側筐体２と図示しない係合部材でつながれている。
【００２５】
なお、係合部材を設けず、平面部２５ａの端面２５ｄと背面２ｂの端面２ｄとを接着してもよい。この場合、使用者が突出部２５ｃを指等で背面２ｂ側に押し上げると、湾曲部２５ｂが収納部側段部３９から離れて、開口部２４が開放され、突出部２５ｃから指を放すと、弾性により開口部２４を閉じた状態に戻る。
【００２６】
また、アンテナ収納部２７の湾曲面における、カバー部材２５が取り付けられている部分と反対側には、アンテナ収納部２７の内側に突出した保持部３２が形成されている。この保持部３２は、アンテナ収納部２７に収納されたアンテナ２２を係止して収納状態で保持するためのものである。一方、アンテナ２２の断面は図５（Ａ）に示すように略円形であるが、その外周部に段部２２ｂが形成され、アンテナ収納部２７にアンテナ２２を押し込むと、保持部３２によって段部２２ｂが掛止され、アンテナ２２がアンテナ収納部２７に確実に保持される。
【００２７】
次に、アンテナ２２によるカバー部材２５の支持動作について説明する。ＳＤカード３３を出し入れする場合、図３及び図５（Ａ）に示すアンテナ２２の収納状態において、アンテナ２２の先端の切り欠き部３１により露出された先端部分を指等で押してアンテナ２２を押し上げ、アンテナ２２を固定部２２ａを中心として回転させてアンテナ収納部２７から持ち上げる。そのアンテナ２２を持ち上げた図４及び図５（Ｂ）に示す状態で、カバー部材２５の突出部２５ｃを引っ張り、又は突出部２５ｃを指等で背面２ｂ側に押し上げると、カバー部材２５が操作部側筐体２から離れ、開口部２４が開放され、ＳＤカード３３のＳＤソケット３６への出し入れが可能になる。
【００２８】
ＳＤカード３３の出し入れが完了したら、カバー部材２５の係合部材を操作部側筐体２の側面２ｃにおける端面２ｄに押し込んでカバー部材２５により開口部２４を閉塞する。この状態でアンテナ２２の先端を押してアンテナ２２を固定部２２ａを中心として回転させてアンテナ収納部２７に嵌め込む。この際、上述したようにアンテナ２２の段部２２ｂが保持部３２に掛止され、アンテナ２２がアンテナ収納部２７の内部に保持される。
【００２９】
そうすると、カバー部材２５の湾曲部２５ｂがアンテナ２２によって筐体内部側（図５における右側）で覆われるので、カバー部材２５が外部から目立たなくなる。したがって、カバー部材２５が携帯電話機１の全体のデザインに与える影響が少なくなる。
【００３０】
また、アンテナ２２がアンテナ収納部２７に収納されると、アンテナ２２によってカバー部材２５の開方向への移動が制限される。即ち、カバー部材２５は、アンテナ２２により筐体内部側に支持されている。したがって携帯電話機１をポケットやバッグの中に入れて持ち運んでいる際に、カバー部材２５が外れることがなく、ゴミや埃等の侵入を防ぐことができる。また、カバー部材は弾性部材によって製造されているため、アンテナ２２によって押されると弾性変形し、アンテナ２２とカバー部材２５との間の密着性が高くなる。ゆえにカバー部材２５と開口部２４との間に隙間が生じにくく、ゴミや埃の更なる侵入を防ぐことができる。
【００３１】
このように、保持部３２によりアンテナ収納部２７に保持されたアンテナ２２により、カバー部材２５が筐体内部側に支持される構成とすることにより、カバー部材２５による開口部２４の閉塞を簡単な構造で達成することができ、開口部２４を閉塞させるためのカバー部材２５の筐体２への取り付け構造を簡素化することができ、複雑なロック構造（係合構造）が不要である。また、カバー部材２５のアンテナ２２による支持によって、カバー部材２５による開口部２４の閉塞を高めることができ、防水性をも高めることができる。また、保持部３２は、カバー部材２５の配置位置に対応した位置（収納状態にあるアンテナ２２の長手方向で略同一位置）に配設されているため、保持部３２により保持されるアンテナ２２のカバー部材２５の支持をより高めて、開口部２４の閉塞をより好適に行うことができる。
【００３２】
（第２実施形態）
以下、本発明の第２実施形態について説明する。第２実施形態において第１実施形態と同一の部分の説明は省略する。第２実施形態と第１実施形態との間の相違点は、開口部、カバー部材、及び保持部の配置位置が異なる点である。図６はアンテナ収納部１２７におけるアンテナ２２の先端が収納される部分の拡大図である。
【００３３】
第２実施形態において、ＳＤカード３３を挿入する開口部１２４及びカバー部材１２５は、アンテナ収納部１２７のアンテナ先端収納側に設けられている。また、アンテナを掛止する保持部１３２は、アンテナ収納部１２７における、それらの開口部１２４及びカバー部材１２５が設けられている部分よりもアンテナ固定部側に設けられている。
【００３４】
第２実施形態も第１実施形態と同様に、ＳＤカード３３を出し入れする場合、アンテナ２２をアンテナ収納部１２７から取り外す。そして、カバー部材１２５の突出部１２５ｃを指等で押し上げ、開口部１２４を開いてＳＤカード３３の出し入れを行う。ＳＤカード３３の出し入れが完了したら、カバー部材１２５で開口部１２４を閉じ、アンテナ２２の先端を押してアンテナ２２をアンテナ収納部１２７に嵌め込む。
【００３５】
第１実施形態と同様に、アンテナ２２をアンテナ収納部１２７に嵌め込むと、カバー部材１２５の湾曲部１２５ｂがアンテナ２２によって覆われるので、カバー部材１２５が外部から目立たなくなる。したがって、カバー部材１２５が携帯電話機の全体としてのデザインに与える影響が少なくなる。また、アンテナ２２がアンテナ収納部１２７に収納されると、保持部１３２により保持されるアンテナ２２によってカバー部材１２５の開方向への移動が制限される（カバー部材１２５が筐体内部側に支持される）。したがって携帯電話機をポケットやバッグの中に入れて持ち運んでいる際にカバー部材１２５が外れることがなく、ゴミや埃等の侵入を防ぐことができる。また、カバー部材１２５は樹脂などの弾性部材によって製造されているため、アンテナ２２によって押されると弾性変形し、アンテナ２２とカバー部材１２５との間の密着性が高くなる。ゆえにカバー部材１２５と開口部１２４との間に隙間が生じにくく、ゴミや埃の更なる侵入を防ぐことができる。このように、カバー部材１２５による開口部１２４の閉塞を簡単で構造が達成することができ、複雑なロック構造が不要である。
【００３６】
また、第１実施形態と同様に、アンテナ収納部１２７のアンテナ先端が収納される側における背面２ｂ側に切り欠き部１３１が設けられている。そして、本第２実施形態では、カバー部材１２５（開口部１２４）が、この切り欠き部１３１に対応した位置に配設されている。よって、カバー部材１２５を操作部側筐体２から取り外す際には、切り欠き部１３１を通してカバー部材１２５の突出部１２５ｃを前面２ａ側に押し上げることができ、カバー部材１２５を取り付ける際にも操作スペースが確保されて取り付けやすくなり、カバー部材１２５の脱着操作性を向上させることができる。
【００３７】
（第３実施形態）
以下、第３実施形態について説明する。第３実施形態において第１実施形態と同一の部分の説明は省略する。第３実施形態と第１実施形態との間の相違点は、開口部がイヤホンジャックの開口部であり、カバー部材が設けられていない点である。図７及び図８は閉じた状態の携帯電話機２０１を示した図であり、それぞれ（Ａ）は側面図、（Ｂ）は背面側からみた斜視図である。図７はアンテナ２２２が収納された収納状態を示し、図８はアンテナ２２２がアンテナ収納部２２７から取り外された状態を示す。
【００３８】
第３実施形態において開口部２２４は、図８に示すように第１実施形態と同様にアンテナ収納部２２７のアンテナ固定部２２２ａ近傍に設けられている。図９は図７におけるＡ−Ａ線に沿った位置での断面図である。図９に示すように、開口部２２４は、アンテナ収納部２２７の湾曲面に設けられている。開口部２２４の内部には、イヤホンジャック２３６と、その外側に配置されたイヤホンジャックカバー２２５とが配置されている。イヤホンジャック２３６は、イヤホンの接続端子と接続する端子部２３５が露出した状態で配置されている。イヤホンジャックカバー２２５は、大きさの異なる矩形部材を３段重ねて中央部に矩形の孔を設けた形状を有しており、弾性部材で製造されている。イヤホンジャックカバー２２５は、イヤホンジャック２３６との外側に取り付けられ、開口部２２４に収納された状態で、その先端２２５ａがアンテナ収納部２２７の湾曲面より僅かに突き出している。
【００３９】
イヤホンをイヤホンジャック２３６に取り付ける場合、図８に示すようにアンテナ２２２をアンテナ収納部２２７から取り外す。そうすると図１０に示すように開口部２２４が開放されて使用可能となるので、イヤホンの接続端子を開口部２２４に挿入し、イヤホンの接続端子をイヤホンジャック２３６の端子部２３５に差し込む。イヤホンを使用しない場合は、図７に示すようにアンテナ２２２をアンテナ収納部２２７に嵌め込む。そうすると、アンテナ２２２の外周面に設けられた段部２２２ｂが保持部２３２に引っ掛かり、アンテナ２２２がアンテナ収納部２２７に確実に保持される。イヤホンジャックカバー２２５の先端２２５ａは保持部２３２によりアンテナ収納部２２７に保持されているアンテナ２２２に押されて変形する。これによりアンテナ２２２とイヤホンジャックカバー２２５とが密着し、開口部２２４が密封され、開口部２２４からイヤホンジャック２３６内へのゴミや埃の侵入が防止される。
【００４０】
また、アンテナ２２２がアンテナ収納部２２７に嵌め込まれると、イヤホンジャック２３６がアンテナ２２２によって完全に覆われるので、イヤホンジャック２３６は外側から見えず、イヤホンジャック２３６が携帯電話機２０１のデザインに与える影響が少なくなる。
【００４１】
この場合、開口部２２４を閉塞するためのカバー部材を配設しない構成とすることもできる。即ち、アンテナがアンテナ収納部２２７から取り出されて開放状態とされている場合には、テレビなどを視聴している状態であり、イヤホンジャック２３６にイヤホンケーブルを装着しているケースがあるため、アンテナ開放状態で開口部２２４を閉塞するための部材は不要となる。
【００４２】
以上、本形態の好適な実施形態について説明したが、本発明は上述した実施形態に限定されることなく種々の形態で実施することができる。例えば、アンテナは、固定部を中心として回転する構造でなくてもよく、携帯電話機の側部でスライドして伸縮する機構であってもよい。この場合、アンテナを回転させるためのスペースが不要である。また、携帯電話機は折り畳み式でなくともよく、いわゆるストレートタイプであってもよい。
【００４３】
なお、上述した第１実施形態および第２実施形態では、保持部３２，１３２によって保持されたアンテナ２２，１２２がカバー部材２５，１２５を筐体内部側に支持する構成としたが、支持だけでなくカバー部材２５，１２５を筐体内部側に押圧（付勢）するように保持させる構成としてもよい。この場合、カバー部材２５，１２５による開口部２４，１２４の閉塞をより確実に行うことができ、カバー部材の取り付け構造を簡素化したり、ごみや埃や水などの侵入をより抑制することができる。
【図面の簡単な説明】
【００４４】
【図１】携帯電話機を開いた状態における正面図である。
【図２】携帯電話機を開いた状態における背面図である。
【図３】第１実施形態の閉じた状態の携帯電話機におけるアンテナを収納した状態を示した図であり、（Ａ）は側面図、（Ｂ）は背面側からみた斜視図である。
【図４】第１実施形態の閉じた状態の携帯電話機におけるアンテナが取り外された状態を示した図であり、（Ａ）は側面図、（Ｂ）は背面側からみた斜視図である。
【図５】（Ａ）は図３におけるＡ−Ａ線に沿った位置での断面図、（Ｂ）は図４におけるＢ−Ｂ線に沿った位置での断面図である。
【図６】第２実施形態のアンテナ収納部におけるアンテナの先端が収納される部分の拡大図である。
【図７】第３実施形態の閉じた状態の携帯電話機におけるアンテナを収納した状態を示した図であり、（Ａ）は側面図、（Ｂ）は背面側からみた斜視図である。
【図８】第３実施形態の閉じた状態の携帯電話機におけるアンテナが取り外された状態を示した図であり、（Ａ）は側面図、（Ｂ）は背面側からみた斜視図である。
【図９】図７におけるＡ−Ａ線に沿った位置での断面図である。
【図１０】第３実施形態のイヤホンジャック部分の上面図である。
【符号の説明】
【００４５】
１  携帯電話機
２  操作部側筐体
３  表示部側筐体
２２  アンテナ
２４  開口部
２７  アンテナ収納部
３１  切り欠き部
３２  保持部
３５  端子
３６  ＳＤソケット
２５  カバー部材
【図１】
2009010713.tif 000003
【図２】
2009010713.tif 000004
【図３】
2009010713.tif 000005
【図４】
2009010713.tif 000006
【図５】
2009010713.tif 000007
【図６】
2009010713.tif 000008
【図７】
2009010713.tif 000009
【図８】
2009010713.tif 000010
【図９】
2009010713.tif 000011
【図１０】
2009010713.tif 000012